(57)【要約】【課題】  部品点数の低減、組立工数の削減を図り、平易かつ確実に固定できる絶縁シート形状及び絶縁方法を提供すること。【解決手段】  絶縁シート形状は突起部と切り欠き部とを具備し、メイン基板３０１を始めとする被絶縁物の周りを取り囲んだ上、該切り欠き部に、該突起部を係合させることを特徴とする。  絶縁方法は、絶縁シートに突起部を設けることができない場合には絶縁シートに設けられた切り欠き部に突起部に形成されたチェックパッド４０２等を始めとする第２の被絶縁部材を係合させることを特徴とし、絶縁シートに突起部を形成できる場合においても絶縁シートに設けられた突起部と切り欠き部との係合部にチェックパッド４０２等の第２の被絶縁部材を挿通させることを特徴とする。【選択図】  図１
2007134078.tif 000002
【特許請求の範囲】
【請求項１】
突起部と切り欠き部とを具備し、該突起部と該切り欠き部が係合することを特徴とする絶縁シート。
【請求項２】
上記突起部と上記切り欠き部がシートの略両端に設けられていることを特徴とする請求項１に記載の絶縁シート。
【請求項３】
切り欠き部を有する絶縁シートの切り欠き部に、被絶縁物に設けられた突起部を係合することで被絶縁物を固定することを特徴とする絶縁方法
【請求項４】
上記被絶縁物が柔軟性を有する部材であることを特徴とする請求項３に記載の絶縁方法。
【発明の詳細な説明】
【技術分野】
【０００１】
本発明はカメラ等の電子機器に用いられる絶縁シート、その形状及び、その絶縁方法に関するものである。
【背景技術】
【０００２】
デジタルカメラを始めとする小型電子機器においては、スペースを有効活用するために、基板の周囲に金属部材（外装、電池室、電池接片等）を配置している場合や、基板と基板を重ねて配置する場合が多く、このような場合には基板と金属部材、基板と基板の間に薄手の絶縁シートを挟んで、基板と周辺金属、基板と基板との絶縁を図ることが一般的に用いられている。しかし、絶縁シートはプラスチック等の柔軟性を有する材料がコストの観点から一般的に用いられるので、図２のとおりコシが強く、かつ金属のようには直角な曲げを施すことができず、スプリングバックによって絶縁シートが開いてしまうことを防止する手段が必要になる。従来の絶縁シートでは基板を本体にビス締めして固定させたり、基板近傍にある絶縁させたい金属（外装、電池室等）に直接、両面テープ等で接着固定させるなど、何らかの別部材を用いて絶縁シートを固定したり、始めから接着力を有した割高な絶縁テープを用いて絶縁させていた。
【０００３】
この問題を鑑みて、特開平３−６６１９６号公報では略十字状の展開形状を有する絶縁シートを箱型に折り曲げて、隣り合う側面同士を引っ掛けて絶縁シートの広がりを抑える工夫を施しており、基板に設けられた切り欠き部に絶縁シートに設けられた突起部を引っ掛けることで、基板との位置ずれを防止し、テープやビス等の別部材を用いることなく絶縁が可能となっている。また、特開２００１―８５８７５号公報では基板を固定する本体（シャーシ）に突起部を設け、絶縁シートの一端側を引っ掛け、もう一端側は基板に設けられた突起部に絶縁シートを引っ掛けることで、絶縁シートの広がりを抑え、テープやビス等の別部材を用いることなく絶縁が可能となっている。
【特許文献１】特開平３−６６１９６号公報
【特許文献２】特開２００１―８５８７５号公報
【発明の開示】
【発明が解決しようとする課題】
【０００４】
デジタルカメラを始めとする電子機器は小型化が急速に進み、小型化最優先で機器内のレイアウトが決定されるようになってきている。このため、本来は絶縁関係に無ければならない、回路同士や回路と金属部品との距離が縮まり、万が一の接触に備えるため、基板同士や基板と金属部材との間に絶縁シートを配置させている。しかし、コストを抑制する観点から、部品点数や組立工数はできる限り増やさないことが必須である。
【０００５】
この状況を鑑みて、上記２つの公知例（特開平３−６６１９６号公報、および特開２００１―８５８７５号公報）が提案されている。しかし、特開平３−６６１９６号公報では絶縁シートが箱型になるため、箱の高さ分（実装部品の一番高い部品の高さ分）の隙間が最低でも必要になる上、基板上に絶縁シート固定用の切り欠き部を設けなければ絶縁シートの位置ずれを防止できないという課題があり、現在のように超高密度実装においては本スペースの捻出が困難である。また、特開２００１―８５８７５号公報では絶縁シートの近傍に絶縁シート固定用の突起部を出すことが可能な部材（特開２００１―８５８７５号公報ではシャーシ）がなければならず、レイアウトの自由度が減ってしまう課題があった。さらにこれら２つの公知例では基板のある一面のみしか他部材との絶縁を図ることができず、基板の両面を他部材から絶縁させたい場合（金属部材の間に基板が配置される場合等）には２枚以上の絶縁シートが必要となってしまう課題があった。本発明では部品点数の低減、組立工数の削減を図ることが可能で、平易かつ確実に固定できる絶縁シート形状及び絶縁方法を提供することを目的とした。
【課題を解決するための手段】
【０００６】
本発明の絶縁シート形状は突起部と切り欠き部とを具備し、該突起部と該切り欠き部が係合することを特徴とし、本発明の絶縁方法は、切り欠き部を有する絶縁シートの切り欠き部に、被絶縁物に設けられた突起部を係合することで被絶縁物を固定することを特徴とする。
【発明の効果】
【０００７】
本発明の絶縁シート形状によれば、絶縁シートのみでシートのコシ（スプリングバック）を吸収可能であり、両面テープ等の接着手段やビス等の固定手段を必要としない上、被絶縁物に巻きつけるように略ロの字状に配置することで、被絶縁物の両面を一枚の絶縁シートで他部材から絶縁させることが可能となり、従来の技術より部品点数の低減、組立工数の削減を図ることが可能となる。また、絶縁シートの長さを微調整し、被絶縁物に巻きつける際に張力を絶縁シートに与えることで、被絶縁物に対して位置ずれのない、平易かつ確実な固定が可能となる。また、他の回路とのインターフェイス部は導線等を引き出す道が必要であるが、このような場所を避けて突起部と切り欠き部を設ければよく、それ以外の部分は自由に切り欠いても絶縁シートの固定が可能であり、実装部品のレイアウトの自由度を損ねることがない。また、絶縁不要部も自由に切り欠くことで、材取りの向上を図ることも可能である。
【０００８】
また、本発明の絶縁方法によれば、絶縁シートに突起部を設けることができない場合でも、絶縁シートに設けられた切り欠き部にチェックパッド等の第２の被絶縁部材に設けられた突起部を係合させることで新たな部材を用いることなく絶縁シートのコシを吸収し、第１の被絶縁物に対して位置ずれのない、平易かつ確実な固定が可能となる上、第２の被絶縁部材の絶縁も可能となる。なお、絶縁シートに突起部が設けられる場合においても、チェックパッド等の第２の被絶縁部材に設けられた突起部を絶縁シートに設けられた突起部と切り欠き部が係合する部分に挿通させることで、第１の被絶縁物に対して位置ずれのない、平易かつ確実な固定が可能となる上、第２の被絶縁部材の絶縁も可能となる。
【発明を実施するための最良の形態】
【０００９】
以下、本発明の実施例について説明する。
【実施例１】
【００１０】
図３に、本発明の第１の実施例の絶縁シート形状を成した絶縁シート２０１を有するデジタルカメラの正面斜視図を示す。同図において、１０１はカメラ本体であり、この内部には撮影を可能とするための各種の部材、例えば、光学像を光電変換して画像データを生成する撮像素子（ＣＣＤやＣＭＯＳイメージセンサ等）、ローパスフィルタおよびカメラ全体の動作を制御する制御回路が配置されている。
【００１１】
１０２は撮影レンズを有するレンズ鏡筒であり、光軸方向に繰り出したり繰り込んだりすることによって撮影光学系の焦点距離を変更することができる。１０３はレリーズボタンであり、半押しによって撮影準備動作（焦点調節動作および測光動作）が開始され、全押しによって撮影動作（撮像素子で読み出された画像データの記録媒体への記録）が開始される。
【００１２】
１０４ａはファインダ光学系の物体側窓部であり、撮影者はファインダ光学系を介して被写体像を観察することができる。１０５は、被写体輝度を測定（測光）する測光センサの窓部である。測光センサでの測光結果は、カメラ本体１０１内の制御回路に送られ、制御回路で露出値（シャッタ速度や絞り値）が演算される。１０６は、被写体に照明光を照射するストロボユニットの窓部である。
【００１３】
また、図４には本発明の第１の実施例の絶縁シート形状を成した絶縁シート２０１を有するデジタルカメラの背面斜視図を示す。同図において、１０４ｂはファインダ光学系の接眼側窓部である。１０８は静止画撮影モード、動画撮影モードおよび再生モードの間でモードを切り換えるための切り換えレバーであり、カメラ本体１０１に対して回転可能に取り付けられている。切り換えレバー１０７を操作して静止画ないしは動画撮影モードに設定すると、光学ファインダ１０４又は液晶表示ユニット（ＬＣＤ）１０８を介して被写体像を観察し、レリーズボタン１０３を押すことにより撮影を行うことができる。
【００１４】
切り換えレバー１０７を操作して再生モードに設定すると、記録媒体に記録されている画像データを液晶表示ユニット１０８に表示させることができる。
【００１５】
１０９は液晶表示ユニットであり、撮影モードの設定時ではファインダ（電子ビューファインダ）として機能し、再生モードの設定時には記録媒体に記録されている画像データを画像確認等のために表示する。
【００１６】
次に本発明の絶縁シート形状を成した絶縁シート２０１の配置例について図５、図８を用いて説明する。図５は本発明の第１の実施の形態を有するカメラ１０１をフロントカバーユニット１０９と、リアカバーユニット１１０と、レンズ鏡筒１０２やカメラシステムの全体を統括する回路を有するメイン基板３０１等を固定しているカメラ本体１０１の内部ユニットに分割した斜視図である。また、図５はカメラ本体１０１で説明上必要な部品を抽出し、中央で切断した断面図である。図５及び図８によりメイン基板３０１は組み立てられた状態では電池室１１１とフロントカバーユニット１０９の間に挟まれるように配置されることがわかるが、フロントカバーユニット１０９及び電池室１１１は小型化、高品位化のために金属であり、さらに電池室に固定された電池接片１１２も金属であるが、メイン基板３０１とのクリアランスも小型化のために最小限になっている。このため、メイン基板３０１の回路と絶縁させるために、メイン基板３０１の周りに絶縁シート２０１を取り囲むように取り付けている。
【００１７】
次に本発明の絶縁シート形状及びその固定方法について図１及び、図６、図７を用いて説明する。図６は本発明の絶縁シート形状であり、メイン基板３０１を絶縁シート２０１で略ロの字状に取り囲むようにして、絶縁シート２０１の下部に設けられた切り欠き部２０１ａに、絶縁シート２０１上部に設けられた突起部２０１ｂを引っ掛けることで（図７の矢印参照）、図１に示す状態にメイン基板３０１に対して絶縁シート２０１が固定される。この時、メイン基板３０１に巻きつける際に張力を絶縁シート２０１に与えるように絶縁シート２０１の長さを微調整し、メイン基板３０１に対して位置ずれがないように固定しても問題はない。また、絶縁シート２０１の形状は切り欠き部２０１ａと突起部２０１ｂを構成する部分以外は自由に切り欠いても固定には問題なく、自由に切り欠くことで例えば、図１で示した、絶縁シート２０１で覆われないメイン基板３０１の実装スペース３０１ａがあるが、フロントカバーユニット１０９との間に絶縁シート２０１で覆ってはならないマイク３０１ｂをメイン基板３０１上に実装したり、他の基板との接続部（コネクタ３０２ｃ等）を配置して組み立てに支障をきたさないようにすることが可能である。本実施例では絶縁対象部材をメイン基板としているが、その他基板や金属片等、絶縁対象な部材であれば本発明の適用は何ら問題がない。
【実施例２】
【００１８】
図９に、本発明の第２の実施の形態の絶縁方法を用いた絶縁シート４０１を有するデジタルカメラの内部斜視図を示す。本実施例の絶縁方法を用いた絶縁シート４０１は、第１の被絶縁部材であるメイン基板３０１を取り囲むように構成し、図９における背面側に接着固定されており、正面側には切り欠き部４０１ａが設けられている。また、４０２で示した鏡筒のフレキシブルプリント基板があるが、このフレキシブルプリント基板４０２はメイン基板３０１からの信号をレンズ鏡筒１０２へ、レンズ鏡筒１０２から送られてくる信号をメイン基板３０１へ伝達させたり、カメラ本体１０１の電源をレンズ鏡筒１０２の駆動部へ送電するための役割を持っており、レンズ鏡筒１０２に半田付けされ、メイン基板３０１にはコネクタ３０１ｃで接続されている。さらにこのフレキシブルプリント基板４０２上には作業工程内での回路チェック用の端子（パッド）４０２ａ(以下チェックパッド)が設けられているが、第１の実施例の絶縁シート２０１に設けられた突起部２０１ｂのような突起部を鏡筒のフレキシブルプリント基板４０２上に形成し、この突起部にチェックパッド４０２ａを設け、この突起部を絶縁シート４０１上の切り欠き部４０１ａに引っ掛けるように固定する。本実施例のようにコネクタ３０２ｂの近傍に切り欠き部４０１ａに引っ掛けられたチェックパッド４０２ａがある場合には、フレキシブルプリント基板のチェックパッド４０２ａを備えた突起部が開いてしまうことを防止する方向に作用し、さらに内部に回路を有しているため、通常絶縁シート以上のコシを持つフレキシブルプリント基板によって絶縁シートがコシによって開いてしまうことを防ぎ、新たな部材を追加することなく絶縁シート４０１がシートのコシによって開いてしまうことを防止し、第１の被絶縁部材であるメイン基板３０１と、第２の絶縁部材である鏡筒のフレキシブルプリント基板４０２上のチェックパッド４０２ａとを一枚の絶縁シートで絶縁固定可能となる。本実施例では第１の被絶縁部材としてメイン基板３０１、第２の被絶縁物として鏡筒のフレキシブルプリント基板４０２としているが、被絶縁対象な部材であれば何でもよく、本発明の絶縁方法は適用可能である。
【実施例３】
【００１９】
図１０に本発明の第３の実施の形態の絶縁方法を用いた絶縁シート５０１を有するデジタルカメラの内部斜視図を示す。本実施例の絶縁シート５０１は、第１の実施の形態の絶縁シート形状を成した絶縁シート２０１と略同形状であり、絶縁シート上に設けられた切り欠き部５０１ａに突起部５０２ｂを引っ掛けることで絶縁シート５０１が第１の被絶縁部材であるメイン基板３０１に対して固定される。この切り欠き部５０１ａに第２の被絶縁部材である鏡筒のフレキシブルプリント基板４０２のチェックパッド４０２ａの部分を引っ掛けることで２つの被絶縁部材を一枚の絶縁シートのみで新たな部品を追加することなく絶縁させることが可能となる。
【００２０】
本実施例では鏡筒のフレキシブルプリント基板４０２の突起部を引っ掛けているが、その他絶縁させたい部材やコシを吸収させたい部材などを切り欠き部５０１ａに引っ掛けても構わない。
【００２１】
なお、図１１は、本発明の第３の実施例の絶縁シートの固定部断面図をあらわしている。
【図面の簡単な説明】
【００２２】
【図１】本発明の第１の実施例の絶縁シートをメイン基板に取りつけた斜視図
【図２】絶縁シートがシートのコシによって開いてしまうことを示す側面図
【図３】本発明の絶縁シートを有するカメラ本体の正面斜視図
【図４】本発明の絶縁シートを有するカメラ本体の背面斜視図
【図５】本発明の第１の実施例の絶縁シートを有するカメラ本体の展開斜視図
【図６】本発明の第１の実施例の絶縁シートの固定方法を表した断面図
【図７】本発明の第１の実施例の絶縁シートの展開図
【図８】本発明の第１の実施例の絶縁シートを有するカメラの省略断面図
【図９】本発明の第２の実施例の絶縁シートを有するカメラの内部斜視図
【図１０】本発明の第３の実施例の絶縁シートを有するカメラの内部斜視図
【図１１】本発明の第３の実施例の絶縁シートの固定部断面図
【符号の説明】
【００２３】
１０１  カメラ本体
１０２  レンズ鏡筒
１０３  レリーズボタン
１０４ａ  ファインダ光学系の物体側窓部
１０４ｂ  ファインダ光学系の接眼側窓部
１０５  測光センサの窓部
１０６  ストロボユニットの窓部
１０７  切り換えレバー
１０８  液晶表示ユニット
１０９  フロントカバーユニット
１１０  リアカバーユニット
１１１  電池室
１１２  電池接片
１１３  電池
２０１  実施例１の絶縁シート
２０１ａ  実施例１の絶縁シートに設けられた切り欠き部
２０１ｂ  実施例１の絶縁シートに設けられた突起部
３０１  メイン基板    
３０１ａ  絶縁シートで覆われないメイン基板の実装スペース
３０１ｂ  マイク
３０１ｃ  コネクタ
４０１  実施例２の絶縁シート
４０１ａ  実施例２の絶縁シートに設けられた切り欠き部
４０２  鏡筒のフレキシブルプリント基板
４０２ａ  チェックパッド
４０３  メイン基板と鏡筒のフレキシブルプリント基板とのコネクタ
５０１  実施例３の絶縁シート
５０１ａ  実施例３の絶縁シートに設けられた切り欠き部
５０１ｂ  実施例３の絶縁シートに設けられた突起部
【図１】
2007134078.tif 000003
【図２】
2007134078.tif 000004
【図３】
2007134078.tif 000005
【図４】
2007134078.tif 000006
【図５】
2007134078.tif 000007
【図６】
2007134078.tif 000008
【図７】
2007134078.tif 000009
【図８】
2007134078.tif 000010
【図９】
2007134078.tif 000011
【図１０】
2007134078.tif 000012
【図１１】
2007134078.tif 000013